(57)【要約】【課題】  携帯電話機の携帯性・手軽さを阻害することなく、携帯電話機の本来の機能である通話機能をより確実に確保できる携帯電話機を提供する。【解決手段】  通話機能及び付加機能を備える携帯電話機１の電源システムであって、携帯電話機１に電源を供給する主電源９及び補助電源１０と、携帯電話機１の供給電圧を検出する電圧検出手段７と、電圧検出手段７により主電源９の電圧レベルが通話機能の動作に必要な最低動作電圧レベル以下にまで低下したことが検出された場合に、携帯電話機１への電源供給を主電源９から補助電源１０に切り替える電源切替手段８と、電源供給が主電源９から補助電源１０に切り替えられた際に、通話機能を使用可能に、付加機能を使用不可に設定し、電源供給が補助電源１０から主電源９に切り替えられた際に、通話機能及び付加機能を使用可能に設定する制御手段２と、を備える。【選択図】        図１
2007306329.tif 000002
【特許請求の範囲】
【請求項１】
通話機能及び付加機能を備える携帯電話機の電源システムであって、
前記携帯電話機に電源を供給する主電源及び補助電源と、
前記携帯電話機の供給電圧を検出する電圧検出手段と、
前記電圧検出手段により前記主電源の電圧レベルが前記通話機能の動作に必要な最低動作電圧レベル以下にまで低下したことが検出された場合に、前記携帯電話機への電源供給を前記主電源から前記補助電源に切り替える電源切替手段と、
前記電源供給が前記主電源から前記補助電源に切り替えられた際に、前記通話機能を使用可能に、前記付加機能を使用不可に設定し、前記電源供給が前記補助電源から前記主電源に切り替えられた際に、前記通話機能及び前記付加機能を使用可能に設定する制御手段と、を備えることを特徴とする携帯電話機の電源システム。
【請求項２】
前記主電源の充電時に、前記主電源の前回の充電終了時における電圧レベルと今回の充電開始時における電圧レベルの差と前回の充電終了時から今回の充電開始時までの間の前記通話機能の使用時間に基づいて、充電終了後の通話可能時間の予測値を算出する算出手段と、
前記通話可能時間の予測値を表示する表示手段とを備えることを特徴とする請求項１に記載の携帯電話機の電源システム。
【発明の詳細な説明】
【技術分野】
【０００１】
本発明は、通話機能及び電話帳機能やゲーム機能等の付加機能を備える携帯電話機の電源システムに関する。
【背景技術】
【０００２】
携帯電話機では、例えば、携帯電話機本体に内蔵した充放電可能な電池を駆動電源として使用する電源システムが利用されている。携帯電話機一般に使用されている蓄電池（二次電池）は充電器を用いて充電することにより繰り返し使用が可能であり、携帯電話機の使用により電池の残量が低下したときに充電器により充電することで携帯電話機を継続して使用することが可能になる。また、このような携帯電話機では、一般的に、電池の電圧レベルを検出する電圧検出手段を用いて電池の残量を検出し、携帯電話機の表示画面上で電池の残量を示す画面表示を行なうように構成されており、携帯電話機の利用者が該携帯電話機が使用できなくなる前に充電することができるようになっている。
【０００３】
尚、近年の携帯電話機は、高機能化及び高性能化により、携帯電話機の本来の機能である通話機能だけでなく、電話帳機能やメール機能、カメラ機能、ゲーム機能等の付加機能を搭載したものがある。このような携帯電話機では、付加機能等の使用により電池の残量が無くなり、携帯電話機本来の機能である通話機能が使用できなくなるという問題があった。
【０００４】
携帯電話機の電源システムに関する技術としては、例えば、保有する各種機能毎に具体的な使用可能時間を算出し、表示画面上に具体的な使用可能時間を表示する携帯電話機がある（例えば、特許文献１参照）。これは、使用者に対し電池の残量を具体的な使用可能時間により示し、使用者が電池の残量をより容易に把握し易くするものである。また、携帯電話機の電源システムに関する他の技術として、ゲーム機能を搭載した携帯電話機において、ゲーム機能の操作性を補助する操作手段とゲーム機能を駆動するための補助電源を備えた外付け装置がある（例えば、特許文献２参照）。これは、使用者が携帯電話機の保有するゲーム機能を利用する際に、携帯電話機本来の機能である通話機能の動作に支障が生じることを防ぐため、ゲーム機能を実行するための電源を提供するものである。
【０００５】
更に、携帯電話機の電源システムに関する技術として、主電源及び補助電源を備え、電圧検出手段により主電源の電圧レベルが一定レベル以下まで低下したときに、電源の供給を主電源から補助電源に切り替える携帯電話機がある（例えば、特許文献３参照）。これは、主電源の残量が少なくなった場合でも、付加機能及び通話機能を継続して使用可能にするものである。
【０００６】
【特許文献１】特開２００２−３１５２０３号公報
【特許文献２】特開２００５−２５３７０９号公報
【特許文献３】特開平５−２４４７３３号公報
【発明の開示】
【発明が解決しようとする課題】
【０００７】
しかしながら、特許文献１に記載の携帯電話機は、より精度の高い使用可能時間を使用者に報知するものであるが、付加機能の使用を中止するか否かは使用者の判断に委ねられているため、電池の残量が少ないことを示す使用可能時間の報知後であっても付加機能の使用を続ける場合も考えられ、携帯電話機の本来の機能である通話機能を十分に確保することは困難であった。また、特許文献２に記載の外付け装置では、ゲーム機能を駆動するための補助電源を別に設けるためゲーム機能の使用により通話機能の動作に支障が生じるのを防止できるが、外付け装置であるため別に持ち歩く必要があり且つ形態も大きくなることから、携帯電話機の本来の長所である携帯性・手軽さを阻害するという問題があった。
【０００８】
更に、特許文献３の携帯電話機では、補助電源を設けて主電源の電圧レベルが低下したときに補助電源に切り替えるように構成したので、主電源のみを設ける場合に比べて携帯電話機の使用時間は延長されるが、補助電源が通話機能以外の付加機能の駆動にも利用されるため、通話機能を十分に担保できるものではなかった。
【０００９】
本発明は上記の問題に鑑みてなされたものであり、その目的は、携帯電話機の携帯性・手軽さを阻害することなく、携帯電話機の本来の機能である通話機能をより確実に確保できる携帯電話機を提供する点にある。
【課題を解決するための手段】
【００１０】
上記目的を達成するための本発明に係る携帯電話機の電源システムは、通話機能及び付加機能を備える携帯電話機の電源システムであって、前記携帯電話機に電源を供給する主電源及び補助電源と、前記携帯電話機の供給電圧を検出する電圧検出手段と、前記電圧検出手段により前記主電源の電圧レベルが前記通話機能の動作に必要な最低動作電圧レベル以下にまで低下したことが検出された場合に、前記携帯電話機への電源供給を前記主電源から前記補助電源に切り替える電源切替手段と、前記電源供給が前記主電源から前記補助電源に切り替えられた際に、前記通話機能を使用可能に、前記付加機能を使用不可に設定し、前記電源供給が前記補助電源から前記主電源に切り替えられた際に、前記通話機能及び前記付加機能を使用可能に設定する制御手段と、を備えることを第１の特徴とする。
【００１１】
上記特徴の携帯電話機の電源システムによれば、主電源及び補助電源を備え、主電源の電圧レベルが通話機能の確保に必要な最低動作電圧レベル以下まで低下したときに電源供給を補助電源に切り替え、補助電源使用時には付加機能の使用を停止するように構成したので、主電源の電圧レベルが低下して携帯電話機が保有するゲーム機能等の付加機能が使用できなくなった場合においても、携帯電話機本来の重要な機能である通話機能を確保することが可能になる。
【００１２】
上記特徴の本発明に係る携帯電話機の電源システムは、前記主電源の充電時に、前記主電源の前回の充電終了時における電圧レベルと今回の充電開始時における電圧レベルの差と前回の充電終了時から今回の充電開始時までの間の前記通話機能の使用時間に基づいて、充電終了後の通話可能時間の予測値を算出する算出手段と、前記通話可能時間の予測値を表示する表示手段とを備えることを第２の特徴とする。
【００１３】
上記特徴の携帯電話機の電源システムによれば、充電作業毎に通話可能時間の予測値を表示するように構成したので、通話可能時間の推移から携帯電話機の使用者が主電源の性能の劣化具合を判断することが可能になる。これによって、繰り返し行なれる充電によって徐々に性能が劣化する電池の寿命を使用者が判定することが可能になり、電池交換のタイミングをより具体的に知ることが可能となる。
【発明を実施するための最良の形態】
【００１４】
以下、本発明に係る携帯電話機の電源システム（以下、適宜「本発明システム」と略称する）の実施形態を図面に基づいて説明する。
【００１５】
〈第１実施形態〉
先ず、本実施形態における本発明システムの構成について図１を基に説明する。図１は、本発明システムを搭載した携帯電話機１の一構成例を示す概略ブロック図であり、一重線は信号の流れを、二重線は主電源９または補助電源１０から各手段に供給される電源の流れを示している。携帯電話機１は、通話機能と、電話帳機能やメール機能、カメラ機能、ゲーム機能等の付加機能とを備えており、図１に示す各手段によってこれらの機能が実現される。
【００１６】
携帯電話機１は、図１に示すように、携帯電話機１に内蔵された各手段を制御し各周辺回路とのインターフェイスを制御する制御手段２、携帯電話基地局等とアンテナ１１を介して無線データ通信を行う通信手段３、システムプログラム及び各種機能で用いるデータを記憶するメモリ４、使用者による操作ボタン等からのキー入力を受け付ける操作手段５、携帯電話機１の液晶ディスプレイ上の表示を制御する表示手段６、主電源９の電圧レベルを検出する電圧検出手段７、主電源９と補助電源１０とを切り替える電源切替手段８、携帯電話機１の各手段に対し電源供給線１２を介して電源を供給する主電源９、及び、携帯電話機１の各手段に対し電源供給線１２を介して電源を供給する補助電源１０を備えて構成されている。
【００１７】
より具体的には、制御手段２は、ＣＰＵ（Ｃｅｎｔｒａｌ  Ｐｒｏｃｅｓｓｉｎｇ  Ｕｎｉｔ）であり、携帯電話機１に内蔵された各手段やメモリ４を制御して通話機能及び付加機能を実現する。また、制御手段２は、後述する電源切替手段８によって電源供給が主電源９から補助電源１０に切り替えられたときは、通話機能を使用可能に、付加機能を使用不可に設定する。更に、制御手段２は、電源供給が補助電源１０から主電源９に切り替えられたときは、通話機能及び付加機能の両方を使用可能に設定する。
【００１８】
電圧検出手段７は、予め設定された所定の電圧レベル検知イベントが発生したときに、主電源９の電圧レベルを検出する。所定の電圧レベル検出イベントは、例えば、通話時、ゲーム機能の使用時等である。
【００１９】
電源切替手段８は、電圧検出手段７により主電源９の電圧レベルが通話機能の動作に必要な最低動作電圧レベル以下にまで低下したことが検出された場合に、携帯電話機１の各手段に対する電源供給を主電源９から補助電源１０に切り替える。更に、電源切替手段８は、主電源９から補助電源１０に切り替えた後、充電作業が実施されると、充電作業終了後の主電源９の電圧レベルを電圧検出手段７から取得し、充電作業終了後の主電源９の電圧レベルが通信機能の動作に必要な最低動作電圧レベルを上回っている場合、携帯電話機１の各手段に対する電源供給を補助電源１０から主電源９に切り替える。
【００２０】
主電源９は、通話機能及び付加機能を実現する携帯電話機１の各手段に対し、電源供給線１２を介して電源を供給するように構成された充放電可能な蓄電池であり、携帯電話機１の本体に内蔵されている。
【００２１】
補助電源１０は、携帯電話機１の本体に内蔵され、携帯電話機１の各手段に対し、電源供給線１２を介して電源を供給するように構成されており、必要最低通話時間（例えば、１０分）の通話ができる容量を持った小型の充放電可能な蓄電池である。補助電源１０は、主電源９の充電時に主電源９とともに充電されるように構成されている。
【００２２】
次に、携帯電話機１の電源システムの動作について図２を基に説明する。図２は、本実施形態における電源システムの一動作例を示すフローチャートである。
【００２３】
使用者の操作により携帯電話機１の電源がＯＮになると（ステップＳ１）、制御手段２は、現在使用している電源が主電源９か補助電源１０であるかを電源切替手段８との通信に基づいて確認する（ステップＳ２）。ステップＳ２において現在使用している電源が補助電源１０であると判定された場合（ステップＳ２でＮｏ分岐）、ステップＳ７に移行し、制御手段２は、通話機能を使用可能に、付加機能を使用不可に設定する（ステップＳ７）。
【００２４】
ステップＳ２において現在使用している電源が主電源９であると判定された場合（ステップＳ２でＹｅｓ分岐）、制御手段２は、通話機能とともに付加機能を使用可能に設定する（ステップＳ３）。電圧検出手段７は、予め設定された所定の電圧レベル検知イベントが発生したときに、主電源９の電圧レベルを検出する（ステップＳ４）。電圧検出手段７によって検出された主電源９の電圧レベルが予め設定された通話機能の動作に必要な最低動作電圧レベルを上回った場合は（ステップＳ５でＮｏ分岐）、ステップＳ４に移行し、次に電圧レベル検知イベントが発生するのを待って電圧検出手段７が主電源９の電圧レベルの検出を行なう。
【００２５】
ステップＳ５において、電圧検出手段７によって検出された主電源９の電圧レベルが予め設定された通話機能の動作に必要な最低動作電圧レベルを下回った場合（ステップＳ５でＹｅｓ分岐）、電源切替手段８は、通話機能に対する電源供給を主電源９から補助電源１０に切り替える（ステップＳ６）。続いて、制御手段２は、通話機能を使用可能に、付加機能を使用不可に設定し（ステップＳ７）、表示手段６は、携帯電話機１の液晶ディスプレイ上に主電源９の残量が少なくなり補助電源１０を使用している旨の警告表示を行なう（ステップＳ８）。
【００２６】
ステップＳ８における警告表示後、充電処理が実施された場合（ステップＳ９でＹｅｓ分岐）、制御手段２は、電圧検出手段７が検出した前回の充電終了時における主電源９の電圧レベルと今回の充電開始時における主電源９の電圧レベルと前回の充電終了時から今回の充電開始時までの通話機能の使用時間に基づいて、通話可能時間の予測値を算出する。本実施形態では、制御手段２が、通話機能及びゲーム機能等の付加機能毎に使用時間を求め、通話機能の予測値を算出する算出手段としての機能を備える。具体的には、電圧検出手段７によって検出された主電源９の電圧レベルが予め設定された通話機能の動作に必要な最低動作電圧レベルに到達した時点において、前回の充電終了時からの付加機能毎の使用時間と付加機能毎に予め設定された係数から、付加機能毎に各付加機能の使用時間を通話機能の使用時間に換算する。そして、換算した各付加機能の使用時間と前回の充電終了時からの通話機能の使用時間から累計使用時間を求め、該累計使用時間を通話可能時間とする。そして、前回の充電時に算出された通話可能時間と、今回算出された通話可能時間の差を確認することで、劣化する電池容量の状態を把握することが可能になる。
【００２７】
続いて、表示手段６は、制御手段２において算出された通話可能時間の予測値を液晶ディスプレイ上に待ち受け画面とともに表示する（ステップＳ１０）。ここで、図３は、液晶ディスプレイ上に表示される通話可能時間の予測値の一画面表示例である。通話可能時間の予測値を表示することにより、使用者は充電作業毎の通話可能時間の推移により電池の劣化具合を知ることが可能となる。引き続き、電源切替手段８は、電源供給を補助電源１０から主電源９に切り替え（ステップＳ１１）、ステップＳ３に移行する。
【００２８】
ステップＳ８における警告表示後、充電処理が実施されず補助電源１０の電圧レベルが最低動作電圧レベルを下回った場合（ステップＳ９でＮｏ分岐）、制御手段２は、携帯電話機１の電源をＯＦＦにする（ステップＳ１２）。尚、本実施形態では、電源がＯＦＦになった後、携帯電話機１の電源供給は切り替えた状態で維持され、次に携帯電話機１の電源がＯＮになったときの電源供給には電源がＯＦＦになったときの電源が使用される。
【００２９】
〈別実施形態〉
〈１〉上記実施形態では、主電源９及び補助電源１０について、蓄電池を用いる場合について説明したが、主電源９及び補助電源１０としては燃料電池等を用いても良い。また、上記実施形態では、補助電源１０が携帯電話機１に内蔵されている場合について説明したが、補助電源１０は外付けのものであっても良い。また、補助電源１０としては、必要最低通話時間の通話が可能な必要最低容量を持つ電池を例に説明したが、これに限るものではなく、必要最低容量以上の容量を持つ電池であれば良い。
【００３０】
〈２〉上記実施形態では、電圧検出手段７を電圧レベル検知イベントが発生したときに主電源９の電圧レベルを検出するように構成したが、これに限るものではなく、例えば、一定期間毎等、他の電圧レベル検出条件に基づいて主電源９の電圧レベルを検出するように構成しても良い。
【図面の簡単な説明】
【００３１】
【図１】本発明に係る携帯電話機の電源システムを搭載した携帯電話機の概略構成を示すブロック図
【図２】本発明に係る携帯電話機の電源システムを搭載した携帯電話機の動作を示すフローチャート
【図３】本発明に係る携帯電話機の電源システムを搭載した携帯電話機の表示画面例を示す説明図
【符号の説明】
【００３２】
１    携帯電話機
２    制御手段
３    通信手段
４    メモリ
５    操作手段
６    表示手段
７    電圧検出手段
８    電源切替手段
９    主電源
１０  補助電源
１１  アンテナ
１２  電源供給線
【図１】
2007306329.tif 000003
【図２】
2007306329.tif 000004
【図３】
2007306329.tif 000005